Podtech/llm-jp-corpus-v4-ja_patent huggingface dataset:
【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
血圧計測装置で計測した末梢動脈の血圧の変化を入力する入力部と、
中枢動脈の血管径又は血管断面積（以下包括して「血管断面指標値」と称す。）の変化を計測する血管断面指標値計測部と、
一心拍期間において前記血管断面指標値と前記末梢動脈の血圧との関係が、前記血管断面指標値と中心血圧との関係に相当する所与の相当期間の間の、前記血圧計測装置及び前記血管断面指標値計測部の計測結果を用いて、前記血管断面指標値から中心血圧を推定する血圧推定処理に係るパラメーターを校正する校正部と、
を備えた血圧計測装置。
【請求項２】
前記入力部から入力された血圧変化の中から重拍波ピーク以降の拡張期の期間を検出し、当該期間の一部又は全部を少なくとも含むように前記相当期間を設定する第１の期間設定部、
を更に備えた請求項１に記載の血圧計測装置。
【請求項３】
前記入力部から入力された血圧変化の中から駆出波部分を検出し、当該駆出波部分の所与の立ち上がり期間を少なくとも含むように前記相当期間を設定する第２の期間設定部、
を更に備えた請求項１又は２に記載の血圧計測装置。
【請求項４】
前記第２の期間設定部は、前記駆出波部分の立ち上がりから当該駆出波部分の１／５経過時点までを前記立ち上がり期間に少なくとも含むように設定する、
請求項３に記載の血圧計測装置。
【請求項５】
前記入力部から入力された血圧変化と、前記血管断面指標値計測部により計測された血管断面指標値の変化とを同期させる同期部を更に備え、
前記校正部は、前記同期部によって同期された前記血圧及び前記血管断面指標値の計測結果を用いて、前記パラメーターを校正する、
請求項１〜４の何れか一項に記載の血圧計測装置。
【請求項６】
末梢動脈の血圧の変化を計測することと、
中枢動脈の血管断面指標値の変化を計測することと、
一心拍期間において前記血管断面指標値と前記末梢動脈の血圧との関係が、前記血管断面指標値と中心血圧との関係に相当する所与の相当期間の間の、前記血圧及び前記血管断面指標値の計測結果を用いて、前記血管断面指標値から中心血圧を推定する血圧推定処理に係るパラメーターを校正することと、
を含む中心血圧推定用パラメーター校正方法。
【請求項７】
血圧計測装置で連続計測された末梢動脈の血圧を入力する第１入力部と、
超音波計測装置で連続計測された中枢動脈の血管径を入力する第２入力部と、
前記中枢動脈の前記血管径および中心血圧の相関関係に基づいて、前記第２入力部からの前記血管径から前記中心血圧を算出する血圧推定部と、
前記第１入力部からの前記血圧および前記第２入力部からの前記血管径から前記相関関係を校正する校正部と、
を備えた血圧計測装置。
【手続補正２】
【補正対象書類名】明細書
【補正対象項目名】００５２
【補正方法】変更
【補正の内容】
【００５２】
２．実施例
次に、被検者の橈骨動脈を末梢動脈とし、頸動脈を中枢動脈として、上記の原理に従って中心血圧を計測する血圧計測装置の実施例について説明する。本実施例の血圧計測装置は、超音波を利用して中心血圧を計測する超音波血圧計である。
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
被検眼の角膜に向けて照明光を照射する照明光学系と、角膜内皮細胞を含む前記角膜からの反射光を受光する光検出器を有する受光光学系と、を有し、被検眼角膜の内皮細胞を撮影する角膜内皮細胞撮影装置において、
被検眼角膜上における内皮細胞の撮影位置を上下左右方向に関して変更するための撮影位置変更手段と、
内皮細胞画像を処理して被検眼の内皮細胞に関する解析結果を取得する画像処理手段と、
被検眼角膜上の異なる位置にて撮影された複数の内皮細胞画像をモニタ上に同時に表示すると共に、前記画像処理手段によって取得された前記モニタ上の各内皮細胞画像に関する解析結果を同一画面上に表示する表示制御手段と、
を備えることを特徴とする角膜内皮細胞撮影装置。
【請求項２】
前記表示制御手段は、前記各内皮細胞画像に関する解析結果として、複数の内皮細胞画像に関する統合解析結果をモニタ上に表示することを特徴とする請求項１の角膜内皮細胞撮影装置。
【請求項３】
前記表示制御手段は、実際の角膜上での撮影位置を考慮し、実際の撮影範囲が重複している部分について、各内皮細胞画像を重複して表示することを特徴とする請求項１〜２のいずれかの角膜内皮細胞撮影装置。
【請求項４】
撮影位置変更手段は、前記照明光学系及び受光光学系を被検者眼に対して上下左右方向に移動させる駆動部である請求項１〜３のいずれかの角膜内皮細胞撮影装置。
【請求項５】
撮影位置変更手段は、被検眼の視線方向を変更するための複数の固視灯を有する固視光学系であり、前記複数の固視灯は、中心固視灯と、複数の近傍固視灯と、を備え、
複数の近傍固視灯は、中心固視灯に対して被検眼の視軸が４〜６度傾斜した関係となるように配置されていることを特徴とする請求項１〜３のいずれかの角膜内皮細胞撮影装置。
【手続補正２】
【補正対象書類名】明細書
【補正対象項目名】０００９
【補正方法】変更
【補正の内容】
【０００９】
（１）  
被検眼の角膜に向けて照明光を照射する照明光学系と、角膜内皮細胞を含む前記角膜からの反射光を受光する光検出器を有する受光光学系と、を有し、被検眼角膜の内皮細胞を撮影する角膜内皮細胞撮影装置において、
被検眼角膜上における内皮細胞の撮影位置を上下左右方向に関して変更するための撮影位置変更手段と、
内皮細胞画像を処理して被検眼の内皮細胞に関する解析結果を取得する画像処理手段と、
被検眼角膜上の異なる位置にて撮影された複数の内皮細胞画像をモニタ上に同時に表示すると共に、前記画像処理手段によって取得された前記モニタ上の各内皮細胞画像に関する解析結果を同一画面上に表示する表示制御手段と、
を備えることを特徴とする。
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
浴槽と、
車椅子に分離可能に含まれる椅子部を前記浴槽内に入れる機構と、
を備える入浴装置であって、
前記浴槽の外側面に溝部が形成されていることを特徴とする入浴装置。
【請求項２】
前記溝部は、前記浴槽の外側面の上部に設けられていることを特徴とする請求項１に記載の入浴装置。
【請求項３】
前記溝部は、前記浴槽の長手方向の外側面に設けられていることを特徴とする請求項１又は２に記載の入浴装置。
【請求項４】
前記溝部は、前記浴槽の長手方向と平行な方向に細長く延在していることを特徴とする請求項３に記載の入浴装置。
【請求項５】
前記溝部の長手方向の長さは、前記浴槽の長手方向の長さの半分より長いことを特徴とする請求項４に記載の入浴装置。
【請求項６】
前記浴槽の前記溝部が設けられる部分は扉ではないことを特徴とする請求項１から５のいずれか１項に記載の入浴装置。
【請求項７】
前記椅子部が使用されない場合に手すりとして利用される部分を更に備えることを特徴とする請求項１から６のいずれか１項に記載の入浴装置。
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
胃内空間充填物を製造するプロセスであって、
前記プロセスは、
胃内デバイスを提供することであって、前記胃内デバイスは、バルーンと、前記バルーンの少なくとも１つの壁を通って延在するシャフトとを有し、前記シャフトは、前記バルーンに付着され、前記バルーンおよび前記シャフトは、前記バルーンの露出面部分が前記シャフトの露出面部分と接触する、バルーンからシャフトへの移行部を形成する、ことと、
表面フィレットを提供することであって、前記表面フィレットは、前記バルーンからシャフトへの移行部にあるか、または前記バルーンからシャフトへの移行部に隣接し、前記表面フィレットは、前記バルーンからシャフトへの移行部の付近における応力集中を低減して前記バルーンからシャフトへの移行部の近位における故障耐性を増大させるように構成される、ことと
を含む、プロセス。
【請求項２】
前記表面フィレットは、前記バルーンからシャフトへの移行部にあるか、または前記バルーンからシャフトへの移行部に隣接した接着剤によって接合されるシートを含む、請求項１に記載のプロセス。
【請求項３】
前記シートは、前記シャフトと同心のワッシャを形成する、請求項２に記載のプロセス。
【請求項４】
前記表面フィレットは、接着剤を含む、請求項１に記載のプロセス。
【請求項５】
前記表面フィレットは、シリコーン系材料を含む、請求項１に記載のプロセス。
【請求項６】
前記表面フィレットは、第１の硬度を有し、前記シャフトは、第２の硬度を有し、前記バルーンは、第３の硬度を有し、前記第１の硬度は、前記第２の硬度と前記第３の硬度との間にある、請求項１に記載のプロセス。
【請求項７】
前記表面フィレットは、第１の表面フィレットであり、前記プロセスは、第２の表面フィレットを提供することをさらに含み、前記第２の表面フィレットは、第２のバルーンからシャフトへの移行部にあるか、または第２のバルーンからシャフトへの移行部に隣接する、請求項１に記載のプロセス。
【請求項８】
前記表面フィレットは、前記バルーンの一部により規定される、請求項１に記載のプロセス。
【請求項９】
前記バルーンの前記壁および前記シャフトは、同一の材料から形成され、共同で前記表面フィレットを規定する、請求項１に記載のプロセス。
【請求項１０】
前記表面フィレットは、接着剤と、前記バルーンの一部とにより規定される、請求項１に記載のプロセス。
【請求項１１】
胃内空間充填物を製造する方法であって、
前記方法は、
シャフトをバルーンに接続することであって、前記バルーンおよび前記シャフトは、バルーンからシャフトへの移行部において接触し、前記シャフトは、前記バルーンの少なくとも一部を通って延在する、ことと、
前記バルーンからシャフトへの移行部の近位に表面フィレットを形成することであって、前記表面フィレットは、前記バルーンからシャフトへの移行部の近位における応力集中を低減するように構成される、ことと
を含む、方法。
【請求項１２】
前記バルーンは、本体と、前記本体から延在するカフと、前記カフの端部にあるカラーとを備え、
前記方法は、
前記バルーンの前記本体内において、前記カフを自身の上に折り畳むことであって、それにより、前記カラーは、前記本体の近位に位置付けられる、ことと、
バルーンとシャフトとの界面において、前記折り畳まれたカフの表面を前記シャフトに接着させることであって、前記カラーは、前記表面フィレットを規定する、ことと
をさらに含む、請求項１１に記載の方法。
【請求項１３】
前記表面フィレットを形成することは、前記シャフトとともに前記表面フィレットを一体的に形成することを含む、請求項１１に記載の方法。
【請求項１４】
前記表面フィレットを形成することは、前記バルーンとともに前記表面フィレットを一体的に形成することを含む、請求項１１に記載の方法。
【請求項１５】
前記シャフトを前記バルーンに接続することは、前記バルーンを通って延在する前記シャフトを有する単一の統合された部品を成形することを含む、請求項１１に記載の方法。
【請求項１６】
前記表面フィレットを形成することは、前記単一の統合された部品の一部として前記バルーンからシャフトへの移行部の近位に前記表面フィレットを成形することを含む、請求項１５に記載の方法。
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
眼の角膜を通って水晶体嚢に到達するための嚢切開用デバイスであって、
ハンドピースと、
前記ハンドピースと接触する吸引カップと、
前記吸引カップに関連付けられる圧縮機構であって、該圧縮機構は、前記ハンドピースに対して移動可能に設計され、前記眼の前記角膜の切開部を通しての前記吸引カップの配置を可能にするように位置付けられ、かつ、前記切開部を通しての前記吸引カップの配置の間、該吸引カップの圧縮をもたらすように構成されていて、前記吸引カップは、前眼房の内側で前記水晶体嚢上の切断位置に広がるように構成される圧縮機構と、
前記水晶体嚢の一部を切断するように、前記吸引カップに取り付けられた切断要素と
を備える、デバイス。
【請求項２】
前記吸引カップに吸引を加え、前記吸引カップを前記水晶体嚢に対して固定するように前記吸引カップに接続された、１つまたは複数の吸引要素をさらに備えることを特徴とする請求項１に記載のデバイス。
【請求項３】
前記切断要素は電極であり、前記電極に接続され、前記水晶体嚢の組織の一部を切除するように前記電極を加熱する電気リードに電流を送り込むための１つまたは複数の電気的な要素をさらに備えることを特徴とする請求項１に記載のデバイス。
【請求項４】
前記電極は、前記吸引カップの下面のまわりに取り付けられ、前記電極は、切り離される前記組織の前記一部のまわりに電流を均一に伝導するように、電流がそれに沿って２つの逆の方向に伝わることができる連続的な要素をさらに備えることを特徴とする請求項３に記載のデバイス。
【請求項５】
前記電極は上側リングおよび下側リングを備え、前記上側リングは前記電気リードに接続し、前記下側リングは、前記下側リングの相対する側の２つの位置で前記上側リングに接続し、電流は、前記上側リングから前記下側リングまで前記位置の一方を介して伝わり、次いで、前記下側リングの両側を回って前記下側リングの反対側の前記位置まで伝わり、前記電流を、前記水晶体嚢に接触している前記下側リングのまわりに均等に分配することを特徴とする請求項４に記載のデバイス。
【請求項６】
前記吸引カップは、前記吸引カップを前記水晶体嚢に対して固定して真空シールを形成するように、前記吸引カップの縁部から広がるフレアスカート状部をさらに備えることを特徴とする請求項１に記載のデバイス。
【請求項７】
前記圧縮機構は、アーム基部に取り付けられた２つのアームを備え、該２つのアームは、内側に互いに向かって動き、前記吸引カップ、および前記吸引カップの中に取り付けられた切断要素を圧縮するように構成され、前記吸引カップの両側に位置決めされている、ことを特徴とする請求項１に記載のデバイス。
【請求項８】
前記ハンドピースに対して移動するように、摺動可能に配設された摺動要素をさらに備え、
前記２つのアームは、前記摺動要素と共に遠位に移動し、前記アームを前記ハンドピースの内部の壁に押し付け、前記アームを内側に互いに向かって動かして前記吸引カップを圧縮するように、前記摺動要素に摺動可能に取り付けられることを特徴とする請求項７に記載のデバイス。
【請求項９】
前記２つのアームは、前記ハンドピースのハウジングに取り付けられ、遠位に前記アームの上で摺動し、前記アームを一緒に押して前記吸引カップを圧縮するように、前記ハウジングに摺動可能に取り付けられた摺動可能な部材をさらに備えることを特徴とする請求項７に記載のデバイス。
【請求項１０】
外力に応答して前記摺動要素を遠位に移動させ、前記ハンドピース内の前記吸引カップを、前記先端部を通して出し、前記前眼房内の前記水晶体嚢まで動かすように、前記摺動要素の前記吸引カップと反対側の端部に接続され、前記ハンドピースと摺動可能に関連付けられたピストンをさらに備えることを特徴とする請求項７に記載のデバイス。
【請求項１１】
外力に応答して前記摺動要素を遠位に移動させ、前記ハンドピース内の前記吸引カップを動かして先端部を通して出し、前記前眼房内の水晶体嚢に対して位置決めするように、前記ハンドピースのハウジングの溝を介して前記摺動要素の側面に接続されたつまみをさらに備えることを特徴とする請求項７に記載のデバイス。
【請求項１２】
前記圧縮機構は、前記つまみに対する外力に応答して前記吸引カップを遠位に移動させ、圧縮するように、前記アーム基部に取り付けられた２つのアームを備えることを特徴とする請求項１１に記載のデバイス。
【請求項１３】
前記ハンドピースの遠位端の先端部は、前記先端部を前記切開部に挿入するために前記圧縮された吸引カップを前記先端部の中に移動させるときに、前記圧縮された吸引カップを収容するための開口部を備えることを特徴とする請求項１に記載のデバイス。
【請求項１４】
前記圧縮された吸引カップを前記先端部から前記前眼房の中に移動させるときに、前記圧縮された吸引カップを平らになった位置に維持するように、前記ハンドピースの前記先端部に配設された２つの挿入用のフィンガ部をさらに備えることを特徴とする請求項１に記載のデバイス。
【請求項１５】
前記挿入用のフィンガ部は、前記フィンガ部の先端部で内側に互いに向かって傾けられ、前記先端部は一緒に押されて、前記角膜の切開部を通って確実に摺動するためのウェッジ部を形成し、前記フィンガ部は、前記吸引カップが前進して前記ハンドピースから出ることによる圧力によって分離するように構成されることを特徴とする請求項１４に記載のデバイス。
【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
エネルギー伝達アプリケータであって、前記エネルギー伝達アプリケータは、
前記アプリケータの遠位端における使い捨てインターフェースであって、前記使い捨てインターフェースは、使い捨て係合機構を含む、使い捨てインターフェースと、
前記アプリケータの前記遠位端を通してエネルギーを伝達するように構成された少なくとも１つのアンテナ開口を含むアンテナ構造と、
冷却板を含む冷却回路であって、前記冷却回路の少なくとも一部分は、前記アンテナと前記アプリケータの前記遠位端との間に配置されている、冷却回路と
を含む、エネルギー伝達アプリケータ。
【請求項２】
前記アンテナは、
複数のアンテナと、
前記エネルギーを前記複数のアンテナに伝達するように構成された分配要素と
を含む、請求項１に記載のエネルギー伝達アプリケータ。
【請求項３】
前記分配要素は、マイクロ波スイッチを含む、請求項２に記載のエネルギー伝達アプリケータ。
【請求項４】
前記分配要素は、電力分割器を含む、請求項２に記載のエネルギー伝達アプリケータ。
【請求項５】
前記エネルギー伝達アプリケータは、前記開口と前記アプリケータの前記遠位端との間に配置された散乱要素をさらに含む、請求項１に記載のエネルギー伝達アプリケータ。
【請求項６】
前記冷却回路は、前記アンテナ開口と前記冷却板の近位側面との間に配置された冷却チャンバをさらに含む、請求項１に記載のエネルギー伝達アプリケータ。
【請求項７】
エネルギー伝達アプリケータであって、前記エネルギー伝達アプリケータは、
前記アプリケータの遠位端における使い捨てインターフェースであって、前記使い捨てインターフェースは、使い捨て係合機構を含む、使い捨てインターフェースと、
前記アプリケータの前記遠位端を通してエネルギーを伝達するように構成された複数のアンテナ開口を含む導波管アセンブリと、
冷却板を含む冷却回路であって、前記冷却回路の少なくとも一部分は、前記アンテナと前記アプリケータの前記遠位端との間に配置されている、冷却回路と
を含む、エネルギー伝達アプリケータ。
【請求項８】
前記導波管アセンブリは、
アンテナクレードル内に配置された複数の導波管アンテナと、
前記エネルギーを前記複数のアンテナに伝達するように構成された分配要素と
を含む、請求項７に記載のエネルギー伝達アプリケータ。
【請求項９】
前記分配要素は、マイクロ波スイッチを含む、請求項８に記載のエネルギー伝達アプリケータ。
【請求項１０】
前記分配要素は、電力分割器を含む、請求項８に記載のエネルギー伝達アプリケータ。
【請求項１１】
前記エネルギー伝達アプリケータは、前記複数の開口と前記アプリケータの前記遠位端との間に配置された複数の散乱要素をさらに含む、請求項７に記載のエネルギー伝達アプリケータ。
【請求項１２】
前記冷却回路は、前記複数のアンテナ開口と前記冷却板の近位側面との間に配置された複数の冷却チャンバをさらに含む、請求項７に記載のエネルギー伝達アプリケータ。
【請求項１３】
前記導波管アセンブリは、
アンテナクレードル内に配置された複数の導波管アンテナと、
前記エネルギーを前記複数のアンテナに伝達するように構成された分配要素と
を含む、請求項１２に記載のエネルギー伝達アプリケータ。
【請求項１４】
前記冷却回路は、前記アンテナクレードル内にある複数の冷却通路をさらに含み、前記複数の冷却通路は、前記複数の冷却チャンバに接続されている、請求項１３に記載のエネルギー伝達アプリケータ。
【請求項１５】
前記導波管アセンブリは、
複数の導波管アンテナと、
前記複数のアンテナの間に配置された複数の隔離要素と
を含む、請求項７に記載のエネルギー伝達アプリケータ。
【請求項１６】
前記導波管アセンブリは、
前記導波管アセンブリの第１の端に配置された第１の隔離要素と、
前記導波管アセンブリの第２の端に配置された第２の隔離要素と
をさらに含む、請求項１５に記載のエネルギー伝達アプリケータ。
【請求項１７】
前記隔離要素は、マイクロ波吸収材料のシムを含む、請求項１６に記載のエネルギー伝達アプリケータ。
【請求項１８】
前記隔離要素は、マイクロ波チョークを含む、請求項１６に記載のエネルギー伝達アプリケータ。
【請求項１９】
前記導波管アンテナは、
内側誘電体と、
前記開口を除く全側面上の前記内側誘電体を包囲する外殻と
を含む、請求項１５に記載のエネルギー伝達アプリケータ。
【請求項２０】
前記冷却板は、
近位面と、
遠位面と、
前記遠位面内の１つ以上の熱電対溝と、
前記熱電対溝内に配置された１つ以上の熱電対と
を含む、請求項７に記載のエネルギー伝達アプリケータ。
【請求項２１】
前記熱電対溝は、前記伝達されたエネルギーがマイクロ波エネルギーである場合に、前記導波管アセンブリによって放出される電界と平行に配置されている、請求項２０に記載のエネルギー伝達アプリケータ。
【請求項２２】
前記マイクロ波エネルギーは、ＴＥ１０モードで伝達される、請求項２０に記載のエネルギー伝達アプリケータ。
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
遊技動作を行う遊技装置と、前記遊技装置を収納する筐体と、前記筐体の前面の開口を塞ぐ前扉とを備えている遊技機であって、
前記前扉における一方の側縁部分に上下に離れて配置され、前記筐体に前記前扉を回動可能に連結する複数のヒンジと、
遊技の状況に応じた画像表示演出を行う画像表示装置と、
前記画像表示装置を制御する制御回路が形成された制御基板と、
前記制御基板および前記画像表示装置を内部に収納可能な基板ケースとを備え、
前記前扉は、前記画像表示装置の画面を視認可能な表示窓を有して前面側に露出する所定の意匠が施されたマスク部材と、前面側に前記マスク部材が取り付けられる取付ベース体とを有し、
前記基板ケースは、前記表示窓を通じて前記画像表示装置の画面を視認できるように前記画像表示装置が収納される演出装置収納部と、前記演出装置収納部と反対側に配置されて前記制御基板が収納される基板収納部とを有し、
前記取付ベース体に、前記複数のヒンジのうち少なくとも一つのヒンジがネジにより結合されるとともに、前記制御基板および前記画像表示装置を内部に収納した前記基板ケースがネジにより結合されることを特徴とする遊技機。
【手続補正２】
【補正対象書類名】明細書
【補正対象項目名】００１０
【補正方法】変更
【補正の内容】
【００１０】
（請求項１）
請求項１に記載の発明は、次の点を特徴とする。
すなわち、請求項１に記載の発明は、遊技動作を行う遊技装置（９Ｅ）と、前記遊技装置（９Ｅ）を収納する筐体（２）と、前記筐体（２）の前面の開口を塞ぐ前扉（３）とを備えている遊技機（１）であって、前記前扉（３）における一方の側縁部分に上下に離れて配置され、前記筐体（２）に前記前扉（３）を回動可能に連結する複数のヒンジ（８）と、遊技の状況に応じた画像表示演出を行う画像表示装置（９Ｃ）と、前記画像表示装置（９Ｃ）を制御する制御回路が形成された制御基板（９Ｋ）と、前記制御基板（９Ｋ）および前記画像表示装置（９Ｃ）を内部に収納可能な基板ケース（９Ｊ）とを備え、前記前扉（３）は、前記画像表示装置（９Ｃ）の画面を視認可能な表示窓（４Ｅ）を有して前面側に露出する所定の意匠が施されたマスク部材（２１）と、前面側に前記マスク部材（２１）が取り付けられる取付ベース体（２２）とを有し、前記基板ケース（９Ｊ）は、前記表示窓（４Ｅ）を通じて前記画像表示装置（９Ｃ）の画面を視認できるように前記画像表示装置（９Ｃ）が収納される演出装置収納部（２２Ｃ）と、前記演出装置収納部（２２Ｃ）と反対側に配置されて前記制御基板（９Ｋ）が収納される基板収納部（２２Ｂ）とを有し、前記取付ベース体に、前記複数のヒンジ（８）のうち少なくとも一つのヒンジがネジにより結合されるとともに、前記制御基板（９Ｋ）および前記画像表示装置（９Ｃ）を内部に収納した前記基板ケース（９Ｊ）がネジにより結合される。
【手続補正３】
【補正対象書類名】明細書
【補正対象項目名】００１１
【補正方法】変更
【補正の内容】
【００１１】
（請求項１の効果）
以上のように構成されている本発明は、以下に記載されるような効果を奏する。
すなわち、請求項１に記載の発明によれば、制御基板を基板収納部内に収納するとともに、画像表示装置を演出装置収納部内に収納した状態で、基板ケースを取付ベース体に接合することで、画像表示装置を取付ベース体に固定することができるので、これにより、画像表示装置とその制御基板を収納した基板ケースとが一体化され、前述したように、遊技機の外観と演出動作との齟齬を生させることなく、他の機種と判別を容易にすることができる。
また、前扉に配置された二つのヒンジのうち、一方のヒンジを取付ベース体に結合し、このヒンジを介して取付ベース体を筐体に連結することによって、基板ケースが取付ベース体及びヒンジを介して筐体に連結されるようにしたので、前扉の荷重を取付ベース体にも加わるようになり、取付ベース体は、充分な強度と剛性とが確保されたものとなる。
ここで、制御基板を収納した基板ケースが取付ベース体に接合されていることから、制御基板を遊技機から取り外すためには、取付ベース体を筐体から分離しなければならないが、前述したように、取付ベース体は、充分な強度と剛性とが確保されているうえ、ヒンジを介して筐体に結合されているので、前扉を閉鎖した状態では、取付ベース体を筐体から短時間で取り外すことができず、このため、制御基板を不正に奪取することもできず、奪取された制御基板による不正行為も防止され、従って、不正行為の防止を十分に図ることができ、これにより、前記目的が達成される。
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
種々の図柄を変動表示する図柄表示手段と、
遊技球の始動入賞を契機に当否の判定を行う抽選手段と、
遊技球が入球可能な開状態と入球が不可能又は困難な閉状態とに切替える開閉手段を有する第１可変入賞手段と、
遊技球が入球可能な開状態と入球が不可能又は困難な閉状態とに切替える開閉手段、遊技球が通過可能な特定領域及び非特定領域、遊技球を該特定領域又は該非特定領域に振分ける振分手段、及び該特定領域を通過した遊技球を検出する特定領域通過球検出手段と該非特定領域を通過した遊技球を検出する非特定領域通過球検出手段とを有する第２可変入賞手段と、
前記抽選手段によって当りと判定されたことに基づいて、前記第１可変入賞手段の開閉動作が行われる通常ラウンド及び前記第２可変入賞手段の開閉動作が行われる特別ラウンドを有する特別遊技を実行する特別遊技制御手段と、
前記特別遊技中に前記特定領域通過球検出手段によって遊技球が検出された場合に、該特別遊技の終了後の遊技状態を通常遊技状態より当選確率の高い確率変動状態に移行させる遊技状態制御手段と、
遊技状態に応じて遊技に関する演出を実行する演出制御手段とを備え、
前記特別遊技には、前記特別ラウンド中に遊技球が前記特定領域を通過し易い第１特別遊技と、遊技球が前記特定領域を通過しない又は該第１特別遊技と比較して通過し難い第２特別遊技とがあり、
前記特別遊技制御手段は、前記開状態の開閉手段が前記閉状態となって各ラウンドが終了した後に、所定のインターバル期間を経て、次回ラウンドを開始するか又は前記特別遊技を終了するように制御し、
前記振分手段の動作パターンには、遊技球を前記特定領域側に振分ける第１誘導期間と、該第１誘導期間の終了から所定時間が経過するまで遊技球を前記特定領域側に振分けない非誘導期間と、該所定時間の経過後に遊技球を前記特定領域側に振分ける第２誘導期間とが含まれ、
前記非誘導期間は、前記特別ラウンド終了後のインターバル期間より長く設定されていることを特徴とする弾球遊技機。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
演出及び報知の少なくとも一方を実行することが可能な出力手段と、
当該出力手段を動作させるために用いられる制御情報群を、前記出力手段の出力制御を行う場合に利用可能となるように設定する情報設定手段と、
制御実行タイミングとなった場合に、前記制御情報群において当該制御実行タイミングに対応した情報を利用することで、前記出力手段を動作させる実行手段と、
を備え、
前記制御情報群を設定可能な記憶領域を複数備え、
前記実行手段は、複数の前記記憶領域に前記制御情報群が記憶されている場合、それら前記制御情報群のうち一部の前記制御情報群を利用することで、前記出力手段を動作させるものであることを特徴とする遊技機。
【請求項２】
前記制御情報群には、各制御実行タイミングに対応した情報を特定可能とする指定情報が含まれており、
前記実行手段は、前記指定情報に対応した情報を前記制御情報群から読み出して利用することで、当該制御情報群に対応した態様で前記出力手段を動作させるものであり、
複数の前記記憶領域に記憶されている各制御情報群のうち前記実行手段の利用対象となっていない制御情報群の前記指定情報についても、利用対象となっている制御情報群の前記指定情報の更新が行われる場合に更新する更新手段を備えていることを特徴とする請求項１に記載の遊技機。
【請求項３】
前記複数の記憶領域に記憶される制御情報群には、前記出力手段の利用対象となる場合の優先度が定められており、
前記実行手段は、複数の前記記憶領域に前記制御情報群が記憶されている場合に一部の前記制御情報群を利用する場合、前記優先度が高い制御情報群を利用対象とするものであることを特徴とする請求項１又は２に記載の遊技機。
【請求項４】
複数の前記記憶領域は、前記優先度に対応させて設けられていることを特徴とする請求項３に記載の遊技機。
【請求項５】
前記実行手段は、
報知用の前記制御情報群が利用対象となっている場合に前記出力手段にて報知が実行されるようにする報知実行手段と、
演出用の前記制御情報群が利用対象となっている場合に前記出力手段にて演出が実行されるようにする演出実行手段と、
を備え、
前記報知用の前記制御情報群は、前記演出用の前記制御情報群よりも前記優先度が高いことを特徴とする請求項３又は４に記載の遊技機。
【請求項６】
前記実行手段は、
ベース用の前記制御情報群が利用対象となっている場合に前記出力手段にてベース動作がされるようにするベース実行手段と、
割込み用の前記制御情報群が利用対象となっている場合に前記出力手段にて割込み動作がされるようにする割込み実行手段と、
を備え、
前記割込み用の前記制御情報群は、前記ベース用の前記制御情報群よりも前記優先度が高いことを特徴とする請求項３乃至５のいずれか１に記載の遊技機。
【請求項７】
複数の前記記憶領域のうち少なくとも特定記憶領域は、当該特定記憶領域に既に前記制御情報群が記憶されている状況で新たな制御情報群の記憶指示が発生し得る構成であり、
前記特定記憶領域に記憶される制御情報群には、当該特定記憶領域に記憶させる上での記憶優先度が定められており、
前記特定記憶領域に既に前記制御情報群が記憶されている状況で新たな制御情報群の記憶指示が発生した場合、既に記憶されている制御情報群の方が前記新たな制御情報群よりも前記記憶優先度が高い場合には当該新たな制御情報群の記憶処理を実行することなく前記既に記憶されている制御情報群が記憶された状態を維持させ、前記新たな制御情報群の方が前記既に記憶されている制御情報群よりも前記記憶優先度が高い場合には前記新たな制御情報群を前記特定記憶領域に上書きする書き込み手段を備えていることを特徴とする請求項１乃至６のいずれか１に記載の遊技機。
【請求項８】
遊技者に特典を付与するか否かの特典抽選処理を実行する特典抽選実行手段を備え、
前記実行手段は、
特典発生確定用の前記制御情報群が利用対象となっている場合に前記出力手段にて特典発生確定用の演出が実行されるようにする確定実行手段と、
特典発生期待用の前記制御情報群が利用対象となっている場合に前記出力手段にて特典発生期待用の演出が実行されるようにする期待実行手段と、
を備え、
前記特典発生確定用の制御情報群は、前記特典発生期待用の制御情報群よりも前記記憶優先度が高いことを特徴とする請求項７に記載の遊技機。
【請求項９】
前記出力手段は発光手段であり、
前記制御情報群は、所定の期間中における前記発光手段の発光パターンを定めるためのものであることを特徴とする請求項１乃至８のいずれか１に記載の遊技機。
【手続補正２】
【補正対象書類名】明細書
【補正対象項目名】０００７
【補正方法】変更
【補正の内容】
【０００７】
上記課題を解決すべく請求項１記載の発明は、演出及び報知の少なくとも一方を実行することが可能な出力手段と、
当該出力手段を動作させるために用いられる制御情報群を、前記出力手段の出力制御を行う場合に利用可能となるように設定する情報設定手段と、
制御実行タイミングとなった場合に、前記制御情報群において当該制御実行タイミングに対応した情報を利用することで、前記出力手段を動作させる実行手段と、
を備え、
前記制御情報群を設定可能な記憶領域を複数備え、
前記実行手段は、複数の前記記憶領域に前記制御情報群が記憶されている場合、それら前記制御情報群のうち一部の前記制御情報群を利用することで、前記出力手段を動作させるものであることを特徴とする。
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
硬質材から形成されるドリルであって、
切削溝により複数のセクションに区分されたランドと、
切削角部（２；１０２；３０２）およびチゼル・エッジ（５；１０５；３０５）への移行部を備える少なくとも１つの主切削刃（１；１０１；３０１）であって、前記主切削刃（１；１０１；３０１）が、前記切削角部（２；１０２；３０２）を起点として、前記チゼル・エッジ（５；１０５；３０５）まで軸方向（Ａ）に連続した凸状をなす、前記主切削刃（１；１０１；３０１）とを備え、
前記ドリルは、前記チゼル・エッジ（５；１０５；３０５）を短くするべく、Ｓ型のシンニングと組み合わされるフォーファセット状に研削された先端部を備え、これにより、
該主切削刃（１；１０１；３０１）の背面の逃げ面は、前記主切削刃（１；１０１；３０１）の背面の少なくとも１つの第１の自由面（９）と、同第１の自由面（９）の背面の第２の自由面（１１）とを含み、
該第１の自由面（９）は、前記切削角部（２；１０２；３０２）から前記チゼル・エッジ（５；１０５；３０５）まで凸状をなし、
該ドリルは、１８００ＨＶより高い硬度を有し、且つ２５００Ｎ／ｍｍ２以下の曲げ強度を有する材料から形成されることを特徴とする硬質材から形成されるドリル。
【請求項２】
前記Ｓ型のシンニングを加工するのと同時に主切削刃が研磨されるように前記先端部が構成されていることを特徴とする請求項１に記載の硬質材から形成されるドリル。
【請求項３】
前記ドリルは、サーメット、切削セラミック、あるいは硬い金属から形成されることを特徴とする請求項１または２に記載の硬質材から形成されるドリル。
【請求項４】
前記硬質材は、ねずみ銑からなることを特徴とする請求項１乃至３のうちのいずれか一項に記載の硬質材から形成されるドリル。
【請求項５】
前記ドリルは、＋／−５度の範囲内のすくい角を有することを特徴とする請求項１乃至４のうちいずれか一項に記載の硬質材から形成されるドリル。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
一単位として分類される単位用紙が、複数単位連結された帯状の記録用紙を、予め定めた搬送制御単位に基づいて、処理部へ搬送する搬送経路上に設けられ、各単位用紙毎に定めた目印に対して位置決めするために搬送方向に移動可能な指標部材と、
前記指標部材を前記目印に対して位置決めしたときの、当該指標部材の予め定めた基準位置からの変位量を検出する検出手段と、
前記検出手段で検出した変位量と前記搬送制御単位とに基づいて、前記処理部での処理時期を補正する補正手段と、
を有する位置決め装置。
【請求項２】
前記指標部材の移動可能範囲が、前記目印の間隔寸法よりも広く設定される請求項１記載の位置決め装置。
【請求項３】
前記搬送経路上において、前記処理部よりも下流側に設けられ、前記検出手段で検出した変位量に基づいて確定する各単位用紙の目印が停止する位置を予測する予測手段と、
前記予測手段で予測した位置を表示する表示手段と、をさらに有する請求項１又は請求項２記載の位置決め装置。
【請求項４】
前記表示手段が、前記記録用紙の搬送方向に沿って予め定めた間隔で複数の発光部を備え、前記予測手段で予測した位置に最も近似する発光部を発光させる請求項３記載の位置決め装置。
【請求項５】
前記予測手段で予測した位置と、前記単位用紙の目印とが一致しない場合に、前記発光する発光部を変更することで位置決めを調整する調整手段をさらに有し、前記調整手段によって調整された情報に基づき、搬送制御が調整される請求項４記載の位置決め装置。
【請求項６】
前記記録用紙には切り取りの目安となるミシン目が形成され、当該ミシン目の間隔寸法が前記単位用紙の一単位の搬送長とされると共に、前記ミシン目が前記目印として適用される請求項１〜請求項５の何れか１項記載の位置決め装置。
【請求項７】
請求項１〜請求項６の何れか１項記載の位置決め装置を備え、前記処理部が、少なくとも画像情報を読み取る画像読取装置、或いは画像情報に基づいて記録用紙に画像を形成する画像形成装置の何れか一方を具備する画像処理装置。
【手続補正２】
【補正対象書類名】明細書
【補正対象項目名】００１０
【補正方法】変更
【補正の内容】
【００１０】
請求項５に記載の発明は、前記請求項４に記載の発明において、前記予測手段で予測した位置と、前記単位用紙の目印とが一致しない場合に、前記発光する発光部を変更することで位置決めを調整する調整手段をさらに有し、前記調整手段によって調整された情報に基づき、搬送制御が調整される。
【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
複数の図柄が外周面に記されている複数の回転リールと、
前記複数の回転リールのそれぞれの中心に出力軸が結合されて、前記回転リールを回転駆動する複数のモータとを備え、
前記回転リールは、
前記複数の図柄が記されているリールテープと、
前記リールテープが巻回される外周リング部と、
前記モータの出力軸が結合されるハブ部と、
前記外周リング部及び前記ハブ部を相互に連結する複数のスポーク部とを有し、
前記ハブ部は、
互いに直径が異なって同軸位置に配置される内筒部及び外筒部と、
前記内筒部の外周面から前記外筒部の内周面まで延びて、前記内筒部及び前記外筒部を相互に連結する複数のリブ部とを有し、
前記スポーク部は、前記外筒部の外周面から前記外周リング部へ向かって突出し、先端が前記外周リング部に連結されたものであり、
前記内筒部は、有底筒状に形成されるとともに、中心部に前記モータの出力軸が挿通される軸受筒を有し、前記内筒部の中心軸方向の長さが前記外筒部の中心軸方向の長さよりも大きくなるように形成されていることを特徴とするリールユニット。
【手続補正２】
【補正対象書類名】明細書
【補正対象項目名】００１３
【補正方法】変更
【補正の内容】
【００１３】
（請求項１）
（特徴点）
請求項１記載の発明は、次の点を特徴とする。
すなわち、請求項１に記載された発明は、複数の図柄が外周面に記されている複数の回転リール（２０）と、前記複数の回転リール（２０）のそれぞれの中心に出力軸（３１Ａ）が結合されて、前記回転リール（２０）を回転駆動する複数のモータ（３１）とを備え、前記回転リール（２０）は、前記複数の図柄が記されているリールテープ（２１）と、前記リールテープ（２１）が巻回される外周リング部（２４）と、前記モータ（３１）の出力軸（３１Ａ）が結合されるハブ部（２５）と、前記外周リング部（２４）及び前記ハブ部（２５）を相互に連結する複数のスポーク部（２６）とを有し、前記ハブ部（２５）は、互いに直径が異なって同軸位置に配置される内筒部（２７）及び外筒部（２８）と、前記内筒部（２７）の外周面から前記外筒部（２８）の内周面まで延びて、前記内筒部（２７）及び前記外筒部（２８）を相互に連結する複数のリブ部（２８Ａ）とを有し、前記スポーク部（２６）は、前記外筒部（２８）の外周面から前記外周リング部（２４）へ向かって突出し、先端が前記外周リング部（２４）に連結されたものであり、前記内筒部（２７）は、有底筒状に形成されるとともに、中心部に前記モータ（３１）の出力軸（３１Ａ）が挿通される軸受筒を有し、前記内筒部（２７）の中心軸方向の長さが前記外筒部（２８）の中心軸方向の長さよりも大きくなるように形成されていることを特徴とする。
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
遊技機に対応して設けられ、遊技媒体数が関連付けられた遊技用媒体の処理を行う台間装置と、前記台間装置と通信可能に設けられ、前記台間装置に関する情報を管理する管理装置とを有する遊技用媒体管理システムであって、
前記台間装置は、
前記遊技用媒体として一般の遊技客が所持する一般用媒体を受け付ける一般用媒体受付手段と、
会員登録を行った遊技客が所持する会員用媒体を受け付ける会員用媒体受付手段とを有し、
遊技客が遊技媒体の貸与を受けるために使用する有価価値及び遊技客が遊技にて獲得して計数された獲得遊技媒体数を一般用媒体と関連付けるための処理を行う一般用媒体関連付け処理手段と、
前記会員用媒体受付手段にて前記会員用媒体が受け付けられると、前記一般用媒体関連付け処理手段による処理の対象となっている有価価値及び遊技客が遊技にて獲得して計数された獲得遊技媒体数を、前記会員用媒体に関連付けるよう更新処理する関連付け更新手段とを有する
ことを特徴とする遊技用媒体管理システム。
【請求項２】
前記関連付け更新手段は、
前記有価価値及び獲得遊技媒体数を前記会員用媒体に関連付けるよう更新処理したことに応じて、前記一般用媒体関連付け処理手段による処理の対象となっている有価価値及び遊技客が遊技にて獲得して計数された獲得遊技媒体数をクリアするよう更新処理する
ことを特徴とする請求項１に記載の遊技用媒体管理システム。
【請求項３】
前記台間装置は、
所定の操作を行う操作手段をさらに有し、
前記会員用媒体受付手段は、少なくとも前記一般用媒体関連付け処理手段による処理の対象となる前記獲得遊技媒体数が計数された状態において、前記操作手段への操作があったことを条件として前記会員用媒体の受け付けを可能とする受付可能化手段を有する
ことを特徴とする請求項１又は２に記載の遊技用媒体管理システム。
【請求項４】
前記関連付け更新手段は、
前記有価価値及び獲得遊技媒体数を前記会員用媒体に予め関連付けられた残有価価値及び獲得遊技媒体数に加算して更新を行う
ことを特徴とする請求項１〜３のいずれか一つに記載の遊技用媒体管理システム。
【請求項５】
遊技機に対応して設けられ、遊技媒体数が関連付けられた遊技用媒体の処理を行う台間装置と、前記台間装置と通信可能に設けられ、前記台間装置に関する情報を管理する管理装置とを有する遊技用媒体管理システムに適用する遊技用媒体管理方法であって、
前記台間装置が、前記遊技用媒体として一般の遊技客が所持する一般用媒体を受け付ける一般用媒体受付工程と、
前記台間装置が、会員登録を行った遊技客が所持する会員用媒体を受け付ける会員用媒体受付工程と、
遊技客が遊技媒体の貸与を受けるために使用する有価価値及び遊技客が遊技にて獲得して計数された獲得遊技媒体数を一般用媒体と関連付けるための処理を行う一般用媒体関連付け処理工程と、
前記会員用媒体受付工程にて前記会員用媒体が受け付けられると、前記一般用媒体関連付け処理工程による処理の対象となっている有価価値及び遊技客が遊技にて獲得して計数された獲得遊技媒体数を、前記会員用媒体に関連付けるよう更新処理する関連付け更新工程と
を含んだことを特徴とする遊技用媒体管理方法。
【手続補正２】
【補正対象書類名】明細書
【補正対象項目名】００１６
【補正方法】変更
【補正の内容】
【００１６】
上述した課題を解決し、目的を達成するために、本発明は、遊技機に対応して設けられ、遊技媒体数が関連付けられた遊技用媒体の処理を行う台間装置と、前記台間装置と通信可能に設けられ、前記台間装置に関する情報を管理する管理装置とを有する遊技用媒体管理システムであって、前記台間装置は、前記遊技用媒体として一般の遊技客が所持する一般用媒体を受け付ける一般用媒体受付手段と、会員登録を行った遊技客が所持する会員用媒体を受け付ける会員用媒体受付手段とを有し、遊技客が遊技媒体の貸与を受けるために使用する有価価値及び遊技客が遊技にて獲得して計数された獲得遊技媒体数を一般用媒体と関連付けるための処理を行う一般用媒体関連付け処理手段と、前記会員用媒体受付手段にて前記会員用媒体が受け付けられると、前記一般用媒体関連付け処理手段による処理の対象となっている有価価値及び遊技客が遊技にて獲得して計数された獲得遊技媒体数を、前記会員用媒体に関連付けるよう更新処理する関連付け更新手段とを有することを特徴とする。
【手続補正３】
【補正対象書類名】明細書
【補正対象項目名】００１７
【補正方法】変更
【補正の内容】
【００１７】
また、本発明は、上記発明において、前記関連付け更新手段は、前記有価価値及び獲得遊技媒体数を前記会員用媒体に関連付けるよう更新処理したことに応じて、前記一般用媒体関連付け処理手段による処理の対象となっている有価価値及び遊技客が遊技にて獲得して計数された獲得遊技媒体数をクリアするよう更新処理することを特徴とする。
また、本発明は、上記発明において、前記台間装置は、所定の操作を行う操作手段をさらに有し、前記会員用媒体受付手段は、少なくとも前記一般用媒体関連付け処理手段による処理の対象となる前記獲得遊技媒体数が計数された状態において、前記操作手段への操作があったことを条件として前記会員用媒体の受け付けを可能とする受付可能化手段を有することを特徴とする。
【手続補正４】
【補正対象書類名】明細書
【補正対象項目名】００１８
【補正方法】変更
【補正の内容】
【００１８】
また、本発明は、上記発明において、前記関連付け更新手段は、前記有価価値及び獲得遊技媒体数を前記会員用媒体に予め関連付けられた残有価価値及び獲得遊技媒体数に加算して更新を行うことを特徴とする。
また、本発明は、遊技機に対応して設けられ、遊技媒体数が関連付けられた遊技用媒体の処理を行う台間装置と、前記台間装置と通信可能に設けられ、前記台間装置に関する情報を管理する管理装置とを有する遊技用媒体管理システムに適用する遊技用媒体管理方法であって、前記台間装置が、前記遊技用媒体として一般の遊技客が所持する一般用媒体を受け付ける一般用媒体受付工程と、前記台間装置が、会員登録を行った遊技客が所持する会員用媒体を受け付ける会員用媒体受付工程と、遊技客が遊技媒体の貸与を受けるために使用する有価価値及び遊技客が遊技にて獲得して計数された獲得遊技媒体数を一般用媒体と関連付けるための処理を行う一般用媒体関連付け処理工程と、前記会員用媒体受付工程にて前記会員用媒体が受け付けられると、前記一般用媒体関連付け処理工程による処理の対象となっている有価価値及び遊技客が遊技にて獲得して計数された獲得遊技媒体数を、前記会員用媒体に関連付けるよう更新処理する関連付け更新工程とを含んだことを特徴とする。
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
遊技盤に向けて遊技球を発射して遊技を行うための遊技機であって、
識別情報を変動表示可能な識別情報表示手段と、
所定の始動条件が成立することに基づいて、少なくとも利益状態を発生させるか否かの決定に用いられる情報を含む所定の遊技情報を取得する取得手段と、
前記取得手段により取得した前記遊技情報を遊技情報格納部に格納する遊技情報格納手段と、
前記識別情報表示手段が新たな表示動作を開始可能な状態となったことに基づいて、前記遊技情報格納部に格納されている前記遊技情報を読み出し、該遊技情報の内容を判定する開始時判定手段と、
前記開始時判定手段の判定情報に基づいた内容で前記識別情報表示手段を制御する表示制御手段と、
前記開始時判定手段の判定に先立って、前記遊技情報の内容を事前に判定する事前判定手段と、
前記事前判定手段の事前判定情報に基づいて所定の先読み予告を実行可能な先読み予告実行手段とを含み、
前記利益状態は第１利益状態と該第１利益状態よりも有利な第２利益状態を含み、
前記先読み予告実行手段は、所定の第１態様と、前記第１態様よりも有利度合いの高いことを示す第２態様とを含む複数の態様の中から選択的に報知することにより予告し、
前記先読み予告実行手段は、前記事前判定情報が前記第２利益状態に対応する場合には、前記第２態様で予告可能であり、
前記先読み予告実行手段は、所定の第１遊技情報に対応する第１事前判定情報と、当該第１遊技情報よりも先に前記遊技情報格納手段に格納されている所定の第２遊技情報に対応する第２事前判定情報との双方に基づいて、前記第１遊技情報に対応する先読み予告態様を決定する複合先読み予告実行手段を含む、遊技機。
【請求項２】
前記複合先読み予告実行手段は、前記第２事前判定情報が前記第１利益状態に対応する場合には、前記第１遊技情報の内容に拘わらず、前記第１態様で先読み予告を行うか又は、先読み予告を行わない、請求項１に記載の遊技機。
【請求項３】
前記有利度合いは、前記利益状態の発生確率の高低、および／または前記確率変動遊技の実行可否の確率の高低を含む、請求項１又は請求項２に記載の遊技機。
【手続補正２】
【補正対象書類名】明細書
【補正対象項目名】０００８
【補正方法】変更
【補正の内容】
【０００８】
前記の目的を達成するための請求項１記載の発明は、遊技盤（２）に向けて遊技球を発射して遊技を行うための遊技機（１）であって、識別情報を変動表示可能な識別情報表示手段（１５）と、所定の始動条件が成立することに基づいて、少なくとも利益状態を発生させるか否かの決定に用いられる情報を含む所定の遊技情報を取得する取得手段と、前記取得手段により取得した前記遊技情報を遊技情報格納部（３６）に格納する遊技情報格納手段と、前記識別情報表示手段が新たな表示動作を開始可能な状態となったことに基づいて、前記遊技情報格納部に格納されている前記遊技情報を読み出し、該遊技情報の内容を判定する開始時判定手段と、前記開始時判定手段の判定情報に基づいた内容で前記識別情報表示手段を制御する表示制御手段（２０Ａ）と、前記開始時判定手段の判定に先立って、前記遊技情報の内容を事前に判定する事前判定手段と、前記事前判定手段の事前判定情報に基づいて所定の先読み予告を実行可能な先読み予告実行手段（２１Ａ）とを含み、前記利益状態は第１利益状態と該第１利益状態よりも有利な第２利益状態を含み、前記先読み予告実行手段は、所定の第１態様と、前記第１態様よりも有利度合いの高いことを示す第２態様とを含む複数の態様の中から選択的に報知することにより予告し、前記先読み予告実行手段は、前記事前判定情報が前記第２利益状態に対応する場合には、前記第２態様で予告可能であり、前記先読み予告実行手段は、所定の第１遊技情報に対応する第１事前判定情報と、当該第１遊技情報よりも先に前記遊技情報格納手段に格納されている所定の第２遊技情報に対応する第２事前判定情報との双方に基づいて、前記第１遊技情報に対応する先読み予告態様を決定する複合先読み予告実行手段（２１Ａ）を含む、遊技機を提供する。
【手続補正３】
【補正対象書類名】明細書
【補正対象項目名】０００９
【補正方法】変更
【補正の内容】
【０００９】
請求項２に記載の発明は、前記複合先読み予告実行手段は、前記第２事前判定情報が前記第１利益状態に対応する場合には、前記第１遊技情報の内容に拘わらず、前記第１態様で先読み予告を行うか又は、先読み予告を行わない、請求項１に記載の遊技機である。
請求項３に記載の発明は、前記有利度合いは、前記利益状態の発生確率の高低、および／または前記確率変動遊技の実行可否の確率の高低を含む、請求項１又は請求項２に記載の遊技機である。